(57)【要約】【課題】患者を側部から圧迫、固定することにより、感覚障害を有する自閉症スペクトラム障害（ＡＳＤ）を持つ患者を落ち着かせて体の無駄な動きを抑制し、体幹が不安定な患者の転落を防止する歯科用治療椅子を提供する。【解決手段】バックシート７０と該バックシートの左右両端から延在するベルト８０とを有する歯科用治療椅子１０であって、前記バックシート７０は、患者の背中側に配置されるクッション部材７１を固着されたサポート部材７２からなり、該サポート部材７２は、中央に配置されるバックサポート７２ａと当該バックサポート７２ａの両側に左右回動自在に配置されているサイドサポート７２ｂとからなる歯科用治療椅子１０。【選択図】図１
2019187875.tif 000002
【特許請求の範囲】
【請求項１】
バックシートと該バックシートの左右両端から延在するベルトとを有する歯科用治療椅子であって、前記バックシートは、患者の背中側に配置されるクッション部材を固着されたサポート部材からなり、該サポート部材は、中央に配置されるバックサポートと当該バックサポートの両側に左右回動自在に配置されているサイドサポートとからなることを特徴とする歯科用治療椅子。
【請求項２】
前記ベルトが、自由端側に締結部材を備える帯材からなり、任意の位置でベルトを相互に締結できることを特徴とする請求項１に記載の歯科用治療椅子。
【請求項３】
前記歯科用治療椅子がさらにバックレストを有し、前記バックサポートが、前記バックレストに固定されていることを特徴とする請求項１または２に記載の歯科用治療椅子。
【発明の詳細な説明】
【技術分野】
【０００１】
本発明は、歯科用治療椅子に関し、詳しくは、治療中の患者における不用意な体勢移動を抑制して、医療事故の発生を抑止する歯科用治療椅子に関する。
【背景技術】
【０００２】
歯科用治療椅子は、術者が患者の治療を行う際に、バックレストを倒して治療をしやすくするが、例えば、感覚障害を有する自閉症スペクトラム障害（ＡＳＤ）を持つ患者の場合は、治療中に興奮により暴れることがないように落ち着かせる必要があり、また、脳性麻痺等のために体幹が不安定な患者の場合には、歯科用資料椅子からの転落を防止する必要が生じる。
【０００３】
このため、例えば、特許文献１では、基部シートと治療用椅子背もたれ部に装着するために基部シートに縫合された複数のベルトと、小児患者を治療用椅子に保持するために基部シートに縫合された肩ベルトと躯幹ベルトを備えた小児用患者の治療用椅子固定具が開示されており、診察及び治療等にかかる人手、時間を要することなく極めて容易に、迅速に、且つ充分に処置ができ、更に小児患者が一人で嫌がらずに治療が受けられるとされている。
【０００４】
また、特許文献２には、ヘッドレストの両側に左右に開閉自在なサイドプレートを備え、さらにこれらを架橋固定するヘッドベルトを備えた頭部固定具と、肩部の動きを抑制する緊締ベルトを備えた歯科治療台装置が開示されており、心身障害者や子供の患者の頭部および／または両肩部を静止状態に抑制して歯科治療を実施できるとされている。
【０００５】
さらに、テンプル・グランディンほか著「我、自閉症に生まれて」（１９９４）学研には、圧迫刺激により自閉症児・者の情緒が安定することが示されており、さらにまた、Ｅｄｅｌｓｏｎ，  Ｓ．Ｍ．，Ｅｄｅｌｓｏｎ，  Ｍ．Ｇ．，  Ｋｅｒｒ，  Ｄ．Ｃ．Ｒ．，  Ｇｒａｎｄｉｎ，  Ｔ．，“Ｂｅｈａｖｉｏｒａｌ  ａｎｄ  ｐｈｙｓｉｏｌｏｇｉｃａｌ  ｅｆｆｅｃｔｓ  ｏｆ  ｄｅｅｐ  ｐｒｅｓｓｕｒｅ  ｏｎ  ｃｈｉｌｄｒｅｎ  ｗｉｔｈ  ａｕｔｉｓｍ  ：  Ａ  ｐｉｌｏｔ  ｓｔｕｄｙ  ｅｖａｌｕａｔｉｎｇ  ｔｈｅ  ｅｆｆｉｃａｃｙ  ｏｆ  Ｇｒａｎｄｉｎ‘ｓ  ｈｕｇ  ｍａｃｈｉｎｅ”，  ＡＪＯＴ  ５３（２）１４５−１５２．１９９９．には、締め付け器を用いた圧迫により自閉症児の緊張と不安が減少することが報告されている。
【先行技術文献】
【特許文献】
【０００６】
【特許文献１】登録実用新案第３０１７８３２号公報
【特許文献２】公開実用新案昭６１−５４８２７号公報
【発明の概要】
【発明が解決しようとする課題】
【０００７】
特許文献１に開示された椅子では、患者の体の無駄な動きを、単純にベルトで締め付けることによって抑制するものであり、背もたれ部と患者の肩および腕との間に空間が出来るため、腕に可動範囲が生じて抑制が不十分となり、また、感覚障害を有する自閉症スペクトラム障害（ＡＳＤ）を持つ患者を落ち着かせる効果を期待することはできない。
【０００８】
また、特許文献２に開始された歯科治療台装置では、頭部固定具は頭部を固定するものであって、体幹が不安定な患者の転落防止を期待できず、肩部の動きを抑制する緊締ベルトを用いる場合であっても、治療台と患者の肩および腕との間に空間が出来るため、腕に可動範囲が生じて抑制が不十分である。さらに、いずれを用いた場合であっても、感覚障害を有する自閉症スペクトラム障害（ＡＳＤ）を持つ患者を落ち着かせる効果を期待することはできない。
【０００９】
さらに、自閉症児・者に関する各研究書・論文には、圧迫により情緒、緊張、不安が改善されることは示されているが、歯科治療の場面への具体的な応用法についてはまったく記載されていない。
【００１０】
本発明は、これらの実情に鑑みてなされたものであり、患者を側部から圧迫、固定することにより、感覚障害を有する自閉症スペクトラム障害（ＡＳＤ）を持つ患者を落ち着かせて体の無駄な動きを抑制し、体幹が不安定な患者の転落を防止することをその目的とする。
【課題を解決するための手段】
【００１１】
上記課題を解決するために、請求項１の発明は、バックシートと該バックシートの左右両端から延在するベルトとを有する歯科用治療椅子であって、前記バックシートは、患者の背中側に配置されるクッション部材を固着されたサポート部材からなり、該サポート部材は、中央に配置されるバックサポートと当該バックサポートの両側に左右回動自在に配置されているサイドサポートとからなることを特徴とするものである。
【００１２】
請求項２の発明は、請求項１の発明において、前記ベルトが、自由端側に締結部材を備える帯材からなり、任意の位置でベルトを相互に締結できることを特徴とするものである。
【００１３】
請求項３の発明は、請求項１または請求項２の発明において、前記歯科用治療椅子がさらにバックレストを有し、前記バックサポートが、前記バックレストに固定されていることを特徴とするものである。
【発明の効果】
【００１４】
本発明によれば、ベルトを患者の胸の前で締結してサイドサポートを患者側に回動させ患者の体を側部から圧迫、固定することにより、感覚障害を有する自閉症スペクトラム障害（ＡＳＤ）を持つ患者を落ち着かせるとともに、体幹が不安定な患者の転落を防止できる。
【図面の簡単な説明】
【００１５】
【図１】本発明に係る歯科用治療椅子の一例を説明するための概略図である。
【図２】本発明に係る歯科用治療椅子のバックシートの一例を示す概略構成図である。
【図３】本発明に係る歯科用治療椅子を用いて患者を圧迫固定した状態の概略図である。
【発明を実施するための形態】
【００１６】
以下、図面を参照しながら、本発明の歯科用治療椅子に係る好適な実施の形態について説明する。以下の説明において、異なる図面においても同じ符号を付した構成は同様のものであるとして、その説明を省略する場合がある。
【００１７】
図１は、本発明に係る歯科用治療椅子の一例を説明するための概略図である。歯科用治療椅子１０は、基台２０と、基台２０に設けられたコンターシート（座席シート）３０、バックレスト４０、ヘッドレスト５０およびレッグレスト６０などからなる着座部を有している。
【００１８】
また、バックレスト４０の前部には、バックシート７０が設けられている。このバックシート７０は、サポート部材７２とクッション部材７１からなるが、クッション部材７１はサポート部材の患者の背中側に配置されるとともに、サポート部材７２に固着されている。さらに、このサポート部材７２は、中央に配置されるバックサポート７２ａとこのバックサポートの両側に左右回動自在に配置されているサイドサポート７２ｂとから構成されている。
【００１９】
図２は、本発明に係る歯科用治療椅子のバックシートの一例を示す概略構成図である。図２（ａ）（ｂ）で示すバックシート７０は、患者の背中側に配置されるクッション部材７１を固着したサポート部材７２から構成されている。
サポート部材７２にクッション部材７１を固着する場合、クッション部材７１の表面にサポート部材７２を接着等により固着してもよいが、クッション部材７１の中にサポート部材７２が埋設させて固着してもよい。また、クッション部材７１は、全体が一体でなくてもかまわない。
【００２０】
いずれの場合であっても、サポート部材７２を構成するバックサポート７２ａおよびサイドサポート７２ｂは、板状で変形しにくい素材、例えば金属、木材または硬質樹脂等から形成されていることが好ましい。
【００２１】
また、クッション部材７１はスポンジ等の変形が容易で患者に苦痛を与えない柔らかい素材から形成されており、サポート部材７２に固着されている。このため、バックサポート７２ａの両側にサイドサポート７２ｂを配置すれば、おのずからバックサポート７２ａに対してサイドサポート７２ｂが左右に回動自在となるが、バックサポート７２ａとサイドサポート７２ｂの両者を、ヒンジや可撓性を有する連結部材により連結してしてもよい。
【００２２】
バックシート７０は、クッション部材７１とサポート部材７２全体をカバー９０で包み込むことにより一体性を高めるとともに、患者からの見栄えをよくしている。カバー９０は、皮革、合成樹脂または布等の素材から形成することができる。
【００２３】
バックシート７０をバックレスト４０に固定する際には、少なくともバックサポート７２ａがバックレスト４０に対して固定するように、羅合、嵌合等の方法により強固に結合させておくことが好ましい。これに対し、サイドサポート７２ｂは、左右に回動自在となるよう、バックレスト４０に対して直接固定しない構成となっている。
【００２４】
バックシート７０の左右両端にはそれぞれベルト８０が長手方向を横向きにして結合、すなわち延在している。それぞれのベルト８０は、帯材８１と帯材８１の自由端側に設けられた締結部材８２とから構成されている。帯材８１は、例えば合成繊維のように長手方向に伸縮せず、可撓性を有する帯状の素材から構成することが好ましい。また、締結部材８２は、面ファスナーのように左右の帯材８１の自由端同士を任意の位置で相互に簡便に締結して患者を抑制できる構成とすることが好ましいが、ベルトの長さを調節することができれば、ボタン、フックその他の長さ調節機構を用いるものであってかまわない。
【００２５】
図２（ｃ）に示すように、バックシート７０を使用しないときには、ベルト８０をバックレスト４０の後ろ側に巻回して、締結部材８２を用いてバックレスト４０の外側で締結することができる。
【００２６】
図２（ｄ）に示すように、バックシート７０を使用する場合には、ベルト８０をコンターシート３０に腰かけている患者の胴回りに巻き付けると、左右のサイドサポート７２ｂがベルト８０に引き寄せられるように患者側に回動する。この際、クッション部材７１は、バックサポート７２ａとサイドサポート７２ｂの境界部に対応する位置で屈曲して患者の体の横側に当接するため、サイドサポート７２ｂがクッション部材７１を介して患者の体の側面を圧迫し、体の動きを抑制することとなる。
【００２７】
図３のように、ベルト８０をコンターシート３０に腰かけている患者の胴回りに巻き付けると、左右のサイドサポート７２ｂが患者を横から挟むように回動し、クッション部材７１が患者の体の横側に当接するため、患者の体の側面を圧迫、抑制するため、患者が自閉症児・者の場合には、情緒が安定し、緊張と不安が和らぐ効果がある。
また、患者が脳性麻痺等により体幹が不安定であっても、転落を防止することができる。
【００２８】
上述の実施形態では、ベルト８０は左右に１本ずつ一対で構成しているが、上下に分割して２対以上の構成にしてもよい。この場合は、患者の体の形状に応じて、ベルト８０ごとにより適切な位置で締結して患者を体側から圧迫し抑制することが可能となる。
【００２９】
また、上述の実施形態ではバックサポート７２ａの両側に、それぞれ１つのサイドサポート７２ｂを設けたが、サイドサポート７２ｂを例えば縦方向に２分割し、バックサポート７２ａの両側に、それぞれ２つずつのサイドサポート７２ｂを設けるようにしてもよい。
【符号の説明】
【００３０】
１０…歯科用治療椅子、２０…基台、３０…コンターシート、４０…バックレスト、５０…安頭台、６０…レッグレスト、７０…バックシート、７１…クッション部材、７２…サポート部材、７２ａ…バックサポート、７２ｂ…サイドサポート、８０…ベルト、８１…帯材、８２…締結部材、９０…カバー。
【図１】
2019187875.tif 000003
【図２】
2019187875.tif 000004
【図３】
2019187875.tif 000005